(57)【要約】【課題】袋の中に荷物を入れ、背中に背負って使うリュックサックもしくはバックパックなどは、リュックサックなどの中に入れる荷物が少ないとき、歩いているときの上下の振動で、リュックサックなどの中で荷物が上下に動いてしまい、その荷物の振動で歩きにくくなったり、荷物の重心が下のほうにあるため長時間歩いたりするには無駄な力を必要としていた。【解決手段】袋の中に荷物を入れ、背中に背負って使うリュックサックもしくはバックパックなどの底面に、空気を出し入れすることにより体積の膨張・収縮が可能な空気袋を設け固定し、リュックサックの外側から、その空気袋の中に空気を入れたり出したりして、リュックサックの底面にある空気袋の大きさを変化させることにより、底面部分の体積の調節を可能にして課題を解決します。【選択図】    図２
2005279150.tif 000002
【特許請求の範囲】
【請求項１】
荷物を入れ背中に背負うために使うリュックサックで、そのリュックサックの底面に、空気を出し入れすることにより体積の収縮が可能な空気袋を設け固定し、リュックサックの外側から、空気袋の中に空気を入れたり出したりすることができるようにしたリュックサック。
【発明の詳細な説明】
【技術分野】
【０００１】
本発明は、袋の中に荷物を入れ、背中に背負うために使うリュックサックもしくはバックパックなどに関するものである。
【背景技術】
【０００２】
従来、袋の中に荷物を入れ、背中に背負って使うリュックサックもしくはバックパックなどの底面の部分に、リュックサックなどの外側から、空気を出し入れすることにより体積の収縮が可能な空気袋が設けてあるものはなかった。そのため空気を入れた袋やタオルなどを側面に敷きつめて対処するという方法があった。
【発明の開示】
【発明が解決しようとする課題】
【０００３】
従来、袋の中に荷物を入れ、背中に背負って使うリュックサックもしくはバックパックなどは、リュックサックなどの中に入れる荷物が少ないとき、歩いているときの上下の振動で、リュックサックなどの中にある荷物が上下に動いてしまい、その荷物の振動で歩きにくくなって長時間歩いたりするには疲れやすかった。
【０００４】
また、荷物が少ないときは、リュックサックの重心が下にあるため、前傾姿勢になりやすく、荷物を背負ったときの重量感が余分にかかり、長時間リュックサックを背負って歩いたりするとつかれやすかった。
【０００５】
さらに、歩くときの上下の振動によって、リュックサックなどの中で荷物が動いてしまうため、中の荷物が乱雑になったりぶつかり合ったりすることで、荷物が壊れてしまったり傷がついたりするという危険性もあった。
【０００６】
タオルや後から入れる空気袋だと、タオルや空気袋自体が動いてしまう心配があった。また、タオルだと体積の変更をすることができず、リュックサックの中に入れる荷物の量によって対応できなかった。また、後から入れる空気袋では、荷物の量によって空気の量を調節し体積を変化させることができるが、空気袋を膨らませてからリュックの底にいれるため、荷物とリュックサックに対して空気袋が大きすぎたり、小さかったりして体積を調節するのが難しかった。また、荷物を出してから入れなくてはならず面倒であった。
【課題を解決するための手段】
【０００７】
袋の中に荷物を入れ、背中に背負って使うリュックサックもしくはバックパックなどの底面に、空気を出し入れすることにより体積の膨張・収縮が可能な空気袋を設け固定し、リュックサックの外側から、その空気袋の中に空気を入れたり出したりして、リュックサックの底面にある空気袋の大きさを変化させ、底面部分の体積を調節し課題を解決します。
【０００８】
リュックサックなどの中に入っている荷物が少なくて、リュックサックの荷物を入れる部分に、荷物が入る余裕がある場合、歩いているときの上下の振動で、リュックサックなどの中で荷物が動きにくくなるように、リュックサックの外側にある空気弁から空気を送り込み、空気袋を膨らませ大きさを調節します。荷物を入れる部分にあった荷物が入る余裕が少なくなることにより、荷物自体の上下の振動を少なくすることができます。
【０００９】
また、荷物が少ないときは、リュックサックの重心が下にあるため、前傾姿勢になりやすく、荷物を背負ったときの重量感が余分にかかるという課題については、リュックサックの底面にある空気袋を膨らませることによりリュックサックの中にある荷物を押し上げます。荷物が押し上げられることにより、荷物の重心が上に上がり、リュックサックを背負ったときの前傾姿勢が押さえられます。
【００１０】
さらに、リュックサック内の荷物の上下運動自体を抑制したり、リュックサックの底面部分にある空気袋がクッションの役割もすることにより、歩くときの上下の振動によって、荷物がリュックサックなどの中で動いて、中の荷物が乱雑になったり、ぶつかり合ったりするのを防ぎます。
【発明の効果】
【００１１】
以上本発明により、以下の効果を得ることができる。
【００１２】
本発明により、荷物を入れ背中に背負うために使うリュックサックで、そのリュックサックの底面に、空気を出し入れして体積の収縮が可能な空気袋を設け固定し、リュックサックの外側から、空気袋の中に空気を入れたり出したりすることができるようにすることにより、リュックサックの中で動きやすかった荷物を簡単に固定することができ、なおかつ荷物の重心を上げることができます。リュックサック内の荷物を固定もしくは重心を上げることにより、長時間リュックサックを背負って歩くときなどの無駄な疲れを軽減します。また、リュックサックの中の荷物が固定されることにより、歩いている時の上下の振動などで荷物が乱雑になったり、ぶつかり合ったりするのを抑制でき、荷物が壊れるといった危険性を軽減することができます。さらに、空気弁がリュックサックの外にあることにより、荷物を入れたまま簡単に空気袋の大きさの調節ができるようになります。
【発明を実施するための最良の形態】
【００１３】
本発明にかかわる、底面部分に空気袋を設けられた、袋の中に荷物を入れ、背中に背負って使うリュックサックもしくはバックパックなどの実施形態としての一例を、以下に、図面に基づいて詳細に説明します。
【実施例１】
【００１４】
１．リュックサックなど６．荷物が入る部分の容積に対して、中にいれる荷物が少ない場合は、荷物を詰めた状態もしくは荷物を入れてない状態で、１．リュックサックの外側にある３．空気弁から、２．空気袋の中に空気を送り込み膨らませて、図３の２．空気袋の状態から図２の２．空気袋の状態にしてリュックサックの底面を上げます。荷物を押し上げることにより１．リュックサックの６．荷物が入る部分の余ったスペースを補い、なおかつ荷物の重心を上げます。
【実施例２】
【００１５】
１．リュックサックなど６．荷物が入る部分の容積に対して、中にいれる荷物がいっぱいの場合は、２．空気袋が図２の状態であれば１．リュックサックの外側にある２．空気弁から空気を抜いて、図３のように２．空気袋を収縮させ、２．空気袋がリュックサック内で体積をとらないようにして、１．リュックサック内の６．荷物が入る部分を確保し、普通のリュックサックと同じように荷物を入れ使用します。
【実施例３】
【００１６】
１．リュックサックなどの底面の底を上げるための２．空気袋は、図２のように底面と６．荷物が入る部分との間に４．仕切りをつくり、その仕切られた底面部分に２．空気袋をいれても、図４のように直接２．空気袋を１．リュックサックなどの底面に固定しても構わない。
【図面の簡単な説明】
【００１７】
【図１】本発明の正面図である。
【図２】本発明の空気袋を膨らませた状態の側面図である。
【図３】本発明の空気袋を縮めた状態の側面図である。
【図４】本発明の仕切りの無い状態の側面図である。
【符号の説明】
【００１８】
１    リュックサック
２    空気袋
３    空気弁
４    仕切り
５    肩紐
６    荷物入れ部分
【図１】
2005279150.tif 000003
【図２】
2005279150.tif 000004
【図３】
2005279150.tif 000005
【図４】
2005279150.tif 000006